(57)【要約】【課題】コンテンツの不正使用を抑制しながらも、コンテンツのバックアップを簡便に行うことができる受信装置及び受信方法を提供する。【解決手段】テレビ１は、放送コンテンツを第１鍵で暗号化し、ＨＤＤ５に保存させると共に第１の暗号鍵を録画管理情報部７に保存させる。更に、ＨＤＤ５に保存された暗号化コンテンツを、外部のコンピュータ５１に転送しバックアップさせる。そして、録画ファイルのリストアの際には、コンピュータ５１から受け取った暗号化コンテンツを、録画管理情報部７に保存された第１鍵を用いて復号した後、新たに生成した第２鍵を用いて再暗号化し、再暗号化された再暗号化コンテンツを録画管理情報部７に保存させると共に第２鍵を録画管理情報部７に保存させ、録画管理情報部７に保存された第１鍵を削除する。【選択図】図１
2008301261.tif 000002
【特許請求の範囲】
【請求項１】
放送波を受信するチューナと、
コンテンツを保存するコンテンツ保存部と、
前記チューナで受信した放送波から得られる放送コンテンツを第１の暗号鍵情報で暗号化し、暗号化された暗号化コンテンツを前記コンテンツ保存部に保存させると共に前記第１の暗号鍵情報を鍵情報保存部に保存させるコンテンツ記録手段と、
前記コンテンツ保存部に保存された前記暗号化コンテンツを、外部の機器に転送しバックアップさせるバックアップ転送手段と、
前記外部の機器にバックアップされた前記暗号化コンテンツを、前記外部の機器から受け取りリストアするリストア手段と、を備え、
前記リストア手段は、
前記外部の機器から受け取った前記暗号化コンテンツを、前記鍵情報保存部に保存された前記第１の暗号鍵情報を用いて復号した後、新たに生成した第２の暗号鍵情報を用いて再暗号化し、再暗号化された再暗号化コンテンツを前記コンテンツ保存部に保存させると共に前記第２の暗号鍵情報を鍵情報保存部に保存させる暗号鍵情報更新処理と、
前記鍵情報保存部に保存された前記第１の暗号鍵情報を削除する暗号鍵情報削除処理と、を行うことを特徴とする受信装置。
【請求項２】
前記コンテンツ保存部に保存された前記暗号化コンテンツを、前記鍵情報保存部に保存された前記第１の暗号鍵情報を用いて復号する復号部と、
前記復号部により復号された復号コンテンツに基づく映像を表示する映像表示部と、を更に備えたことを特徴とする請求項１に記載の受信装置。
【請求項３】
受信装置のチューナで放送波を受信し、前記放送波から得られる放送コンテンツを第１の暗号鍵情報で暗号化し、暗号化された暗号化コンテンツを前記受信装置のコンテンツ保存部に保存させると共に前記第１の暗号鍵情報を前記受信装置の鍵情報保存部に保存させるコンテンツ記録ステップと、
前記コンテンツ保存部に保存された前記暗号化コンテンツを、前記受信装置とは別の外部の機器に転送しバックアップさせるバックアップ転送ステップと、
前記外部の機器にバックアップされた前記暗号化コンテンツを、前記外部の機器から受け取りリストアするリストアステップと、を備え、
前記リストアステップでは、
前記外部の機器から受け取った前記暗号化コンテンツを、前記鍵情報保存部に保存された前記第１の暗号鍵情報を用いて復号した後、新たに生成した第２の暗号鍵情報を用いて再暗号化し、再暗号化された再暗号化コンテンツを前記コンテンツ保存部に保存させると共に前記第２の暗号鍵情報を鍵情報保存部に保存させる暗号鍵情報更新処理と、
前記鍵情報保存部に保存された前記第１の暗号鍵情報を削除する暗号鍵情報削除処理と、を行うことを特徴とする受信方法。
【発明の詳細な説明】
【技術分野】
【０００１】
本発明は、放送波を受信して放送コンテンツを得る受信装置及び受信方法に関するものである。
【背景技術】
【０００２】
放送波を受信する近年の受信装置（例えば、テレビやラジオ）には、受信した放送コンテンツを保存する記憶媒体を内蔵したものもある。このような装置では、記録媒体の空き容量を確保するために、記憶媒体に蓄積された放送コンテンツを定期的に外部機器にバックアップする必要がある。一方、デジタル放送の番組には、著作権保護の目的から、「コピーワンス」などのコピー制御情報が付加されており、保存したコンテンツを機器間で授受させる場合等には、著作権保護のために、録画したファイルが不正利用（不正なコピー等）されないような処置を施す必要がある。例えば、このような技術としては、下記特許文献１に記載の装置が知られている。この文献に記載された記録再生装置は、装置からデータをムーブ（移動）する前とムーブした後とで、データを適切に制御し、データの不正コピーを防止しようと提案されたものである。
【特許文献１】特開２００３−２２６１２号公報
【発明の開示】
【発明が解決しようとする課題】
【０００３】
しかしながら、このような機器間のムーブを行う処理においては、例えば、ムーブ先の機器にもセキュアな処理が要求される等といったように、上記著作権保護のための処置が複雑になってしまう。従って、受信装置の記録媒体の空き容量確保等に利用されるバックアップ処理としては、コンテンツの不正使用を抑制する機能は当然に維持しつつも、更に簡便な手法をもってユーザの利便性を高めることが求められている。
【０００４】
そこで、本発明は、コンテンツの不正使用を抑制しながらも、コンテンツのバックアップを簡便に行うことができる受信装置及び受信方法を提供することを目的とする。
【課題を解決するための手段】
【０００５】
本発明の受信装置は、放送波を受信するチューナと、コンテンツを保存するコンテンツ保存部と、チューナで受信した放送波から得られる放送コンテンツを第１の暗号鍵情報で暗号化し、暗号化された暗号化コンテンツをコンテンツ保存部に保存させると共に第１の暗号鍵情報を鍵情報保存部に保存させるコンテンツ記録手段と、コンテンツ保存部に保存された暗号化コンテンツを、外部の機器に転送しバックアップさせるバックアップ転送手段と、外部の機器にバックアップされた暗号化コンテンツを、外部の機器から受け取りリストアするリストア手段と、を備え、リストア手段は、外部の機器から受け取った暗号化コンテンツを、鍵情報保存部に保存された第１の暗号鍵情報を用いて復号した後、新たに生成した第２の暗号鍵情報を用いて再暗号化し、再暗号化された再暗号化コンテンツをコンテンツ保存部に保存させると共に第２の暗号鍵情報を鍵情報保存部に保存させる暗号鍵情報更新処理と、鍵情報保存部に保存された第１の暗号鍵情報を削除する暗号鍵情報削除処理と、を行うことを特徴とする。
【０００６】
また、本発明の受信装置は、コンテンツ保存部に保存された暗号化コンテンツを、鍵情報保存部に保存された第１の暗号鍵情報を用いて復号する復号部と、復号部により復号された復号コンテンツに基づく映像を表示する映像表示部と、を更に備えてもよい。
【０００７】
本発明の受信方法は、受信装置のチューナで放送波を受信し、前記放送波から得られる放送コンテンツを第１の暗号鍵情報で暗号化し、暗号化された暗号化コンテンツを受信装置のコンテンツ保存部に保存させると共に第１の暗号鍵情報を受信装置の鍵情報保存部に保存させるコンテンツ記録ステップと、コンテンツ保存部に保存された暗号化コンテンツを、受信装置とは別の外部の機器に転送しバックアップさせるバックアップ転送ステップと、外部の機器にバックアップされた暗号化コンテンツを、外部の機器から受け取りリストアするリストアステップと、を備え、リストアステップでは、外部の機器から受け取った暗号化コンテンツを、鍵情報保存部に保存された第１の暗号鍵情報を用いて復号した後、新たに生成した第２の暗号鍵情報を用いて再暗号化し、再暗号化された再暗号化コンテンツをコンテンツ保存部に保存させると共に第２の暗号鍵情報を鍵情報保存部に保存させる暗号鍵情報更新処理と、鍵情報保存部に保存された第１の暗号鍵情報を削除する暗号鍵情報削除処理と、を行うことを特徴とする。
【発明の効果】
【０００８】
本発明の受信装置及び受信方法によれば、コンテンツの不正使用を抑制しながらも、コンテンツのバックアップを簡便に行うことができる。
【発明を実施するための最良の形態】
【０００９】
以下、図面を参照しつつ本発明に係る受信装置及び受信方法の好適な実施形態について詳細に説明する。
【００１０】
図１に示すように、テレビ（受信装置）１は、ＲＦチューナ３でワンセグ放送（ワンセグメント放送）を受信し視聴するための装置である。このテレビ１は、ＨＤＤ（ハードディスクドライブ）５を備えており、放送波から得られた放送タイトル（放送コンテンツ）を録画ファイルとしてＨＤＤ（コンテンツ保存部）５に保存することができる。このような保存については、著作権保護の観点から、録画ファイルが暗号化された状態でＨＤＤ５に保存される。そして、上記録画ファイルの暗号化に用いたタイトル鍵（暗号鍵情報）は、ＨＤＤ５とは別の記憶媒体である録画管理情報部（鍵情報保存部）７に保存される。
【００１１】
そして、放送タイトルの再生の際には、暗号化された録画ファイルが、上記タイトル鍵により復号され、内蔵されたＬＣＤ（映像表示部）９及びスピーカ１１で放送タイトルが再生される。なお、上記録画管理情報部７としては、不揮発性メモリが用いられ、録画管理情報部７には、タイトル鍵の他、各録画ファイルを管理するための録画管理情報も記録される。この録画管理情報部７は、後述のようにテレビ１にコンピュータ５１等の外部機器が接続されても、外部機器からはアクセス不可能であるセキュアな記憶領域として用いられる。
【００１２】
具体的には、このテレビ１は、タイトル鍵を生成するタイトル鍵生成部１５と、タイトル鍵によって録画ファイルを暗号化する暗号化部（コンテンツ記録手段）１７と、タイトル鍵によって録画ファイルを復号する復号部１９と、を備えている。更に、テレビ１は、録画ファイルから映像データ及び音声データを分離するＴＳ−ＤＥＭＵＸ２１と、分離された映像データをデコードするビデオデコーダ２３と、デコードされた映像データをＬＣＤ９に出力する映像出力部２５とを備えている。
【００１３】
更に、テレビ１は、ＴＳ−ＤＥＭＵＸ２１で分離された音声データをデコードするオーディオデコーダ２７と、デコードされた音声データをスピーカ１１に出力する音声出力部２９とを備えている。また、テレビ１は、パーソナルコンピュータ５１との接続を行うインターフェイス部（バックアップ転送手段）３１を備えており、接続されたコンピュータ５１との間でコンテンツデータ等の授受を行うことができる。テレビ１とコンピュータ５１との間の接続として、ここでは、ＵＳＢ(Universal Serial Bus)規格が採用され、テレビ１とコンピュータ５１とは着脱可能なＵＳＢケーブルで接続される。また、テレビ１は、上記の各部分３〜３１の動作を制御する制御部３３を備えている。
【００１４】
次に、図２を参照し、テレビ１の具体的なハードウエア構成を説明する。テレビ１は、前述のＲＦチューナ３、ＣＰＵ４１、主記憶装置であるＲＡＭ４２及びＲＯＭ４３、補助記憶装置である前述のＨＤＤ５、入力デバイスであるキーボタン等の入力装置４６、出力装置である前述のＬＣＤ９及びスピーカ１１、ＵＳＢ規格に準じたデータ送受信デバイスである通信モジュール４８、前述の録画管理情報部７として上記ＨＤＤ５とは別に設けられた不揮発性メモリ４９などを備えている。
【００１５】
前述した機能的な構成要素１５〜３３は、このテレビ１のＣＰＵ４１、ＲＡＭ４２等のハードウエア上に、それぞれの機能に応じたコンピュータソフトウェアを読み込ませることにより、ＣＰＵ４１の制御のもとで通信モジュール４８、入力装置４６、ＬＣＤ９、スピーカ１１を動作させるとともに、ＲＡＭ４２、ＨＤＤ５、不揮発性メモリ４９におけるデータの読み出し及び書き込みを行うことで実現される。また、例えば、前述の録画管理情報部７に保存される第１鍵は、不揮発性メモリ４９に記憶される電子情報として実現される。
【００１６】
このようなテレビ１では、以下に説明するような、録画処理（コンテンツ記録ステップ）、外部機器への録画ファイルのバックアップ処理（バックアップ転送ステップ）、外部機器からの録画ファイルのリストア（リストアステップ）とが行われる。
【００１７】
（録画処理）
図３に示すように、ＲＦチューナ３で放送波が受信されると、タイトル鍵生成部１５が、テレビの各個体毎にユニークなマスター鍵と、録画管理情報部７内の録画管理情報とを基にして、録画ファイル毎にユニークな第１のタイトル鍵（以下「第１鍵」）を生成する（Ｓ３０２）。次に、暗号化部１７が、この第１鍵を用いて、ＲＦチューナ３から得られる放送コンテンツを暗号化処理し、暗号化された録画ファイルとしてＨＤＤ５に記録する（Ｓ３０４）。
【００１８】
そして、記録が完了すると、当該録画ファイルの識別情報と、上記第１鍵とを、録画管理情報部７の録画管理情報に追記し（Ｓ３０６）、当該録画ファイルのステータスを「未バックアップ状態」とする（Ｓ３０８）。以上のような処理により、第１鍵で暗号化された録画ファイル（以下、「暗号化録画ファイル」）がＨＤＤ５に保存され、第１鍵が録画管理情報部７に保存された状態となる。なお、この第１鍵を用いた暗号化は、テレビ１の独自のアルゴリズムで行われる処理である。
【００１９】
テレビ１において録画された放送コンテンツを再生する場合は、この状態から、復号部１９が、録画管理情報部７の第１鍵を用いて、上記暗号化録画ファイルを復号する。そして、復号されたコンテンツデータを、前述のＴＳ−ＤＥＭＵＸ２１，ビデオデコーダ２３，映像出力部２５，オーディオデコーダ２７，及び音声出力部２９によって処理し、放送映像をＬＣＤ９から出力し、放送音声をスピーカ１１から出力する。
【００２０】
（外部機器への録画ファイルのバックアップ処理）
ここで、録画ファイルを保存するＨＤＤ５の容量には限りがあるので、ＨＤＤ５の空き容量確保のために、外部機器への録画ファイルのバックアップが必要となる場合がある。そこで、このテレビ１は、前述のインターフェイス部３１を介してコンピュータ（外部機器）５１に接続され、コンピュータ５１に録画ファイルのバックアップを行うことができる。
【００２１】
図４に示すように、まず、制御部３３は、ＨＤＤ５内のバックアップ対象の録画ファイルを、インターフェイス部３１を介して、第１鍵で暗号化されたままの状態でコンピュータ５１に転送し、コンピュータ５１の記憶媒体に保存させる（Ｓ４０２）。その後、制御部３３は、録画管理情報部７の録画管理情報にアクセスし、転送された録画ファイルのステータスを「バックアップ済み状態」に更新する（Ｓ４０４）。その後、制御部３３は、転送済みの上記録画ファイルをＨＤＤ５から削除する（Ｓ４０６）。
【００２２】
以上のような処理により、第１鍵で暗号化された暗号化録画ファイルがコンピュータ５１の記憶媒体に保存され、第１鍵はテレビ１の録画管理情報部７に保存された状態となる。そして、前述のように、第１鍵を用いた暗号化は、テレビ１の独自のアルゴリズムで行われる処理であるので、暗号化録画ファイルは、テレビ１以外の機器では単独で再生することはできない。このように、テレビ１では、単独では再生不可能な状態で暗号化録画ファイルをコンピュータ５１に移すことができ、不正使用を防止しながら録画ファイルを外部機器にバックアップさせることができる。なお、ARIB（Association of Radio Industries and Businesses）規格では、録画した機器でのみ利用できるようにするという条件の下で、録画ファイルのバックアップが認められているが、上記バックアップの仕組みは、このARIB規格にも適合するものである。
【００２３】
ここで、上記コンピュータ５１は、録画ファイルの著作権保護のための特殊な機能を有していない通常のパーソナルコンピュータであり、ユーザにとっては、このような通常のコンピュータ５１により簡便にバックアップを行うことができる点で便利である。しかし、その簡便さの反面、記録媒体に保存された暗号化録画ファイルは、コンピュータ５１上の通常のファイルと変わりなく取り扱われるので、記憶媒体にバックアップ保存された暗号化録画ファイルを、多数コピーすることができてしまう。仮に、このような多数のコピーの各々がリストアされ各々が再生可能であるとすれば、単独で再生・視聴可能な録画ファイルが複数発生してしまうおそれもあり、著作権保護の観点からも望ましくない。そこで、かかる状態を防止するため、このテレビ１におけるバックアップ録画ファイルのリストアは、以下のような処理で行われる。
【００２４】
（外部機器からの録画ファイルのリストア）
図５に示すように、まず、バックアップされていた暗号化録画ファイルが、コンピュータ５１の記憶媒体から、インターフェイス部３１を介して、テレビ１のＨＤＤ５に転送される（Ｓ５０２）。次に、制御部３３は、転送された暗号化録画ファイルに対応する第１鍵を録画管理情報部７から検索し、この第１鍵によって、復号部１９が、転送された暗号化録画ファイルを復号する（Ｓ５０４）。次に、タイトル鍵生成部１５は、当該第１鍵とは別の、新たな第２のタイトル鍵（以下「第２鍵」）を生成する（Ｓ５０６）。
【００２５】
そして、暗号化部１７が、この第２鍵を用いて、復号された上記録画ファイルを再び暗号化処理し、「再暗号化録画ファイル」としてＨＤＤ５に記録する（Ｓ５０８；暗号鍵更新処理）。そして、記録が完了すると、録画管理情報部７の録画管理情報の当該録画ファイルに対応する識別情報を更新し（Ｓ５１０；暗号鍵更新処理）、当該録画ファイルの鍵情報を、「第１鍵」から「第２鍵」へと上書き更新する（Ｓ５１２；暗号鍵更新処理）。更に、当該録画ファイルのステータスを「未バックアップ状態」とする（Ｓ５１４）。以上のような処理により、第２鍵で再暗号化された録画ファイルがＨＤＤ５に保存され、第２鍵が録画管理情報部７に保存された状態となる。そして、録画管理情報の鍵情報の上書きにより、当該録画ファイルに関する上記第１鍵は、第２鍵に上書きされて消滅する（暗号鍵削除処理）。
【００２６】
以上のように、制御部３３、タイトル鍵生成部１５、暗号化部１７、復号部１９、及びインターフェイス部３１の協働により、リストア手段が達成される。そして、以上のようなリストア処理により、第２鍵で暗号化された再暗号化録画ファイルがＨＤＤ５に保存され、第２鍵が録画管理情報部７に保存された状態となる。そして、コンピュータ５１の記憶媒体には、第１鍵で暗号化された暗号化録画ファイルの多数のコピーが残された状態となる。ここで、第１鍵は、上記リストア処理においてテレビ１から消滅しているので、コンピュータ５１に残された暗号化録画ファイルのコピーは、復号不可能であり、リストア不可能な無意味なファイルとなる。すなわち、コンピュータ５１において、バックアップされた暗号化録画ファイルのコピーが複数作成されたとしても、そのうちリストアが許されるものは１つのみであるので、単独再生可能な録画ファイルが複数発生してしまうことを防止することができ、放送コンテンツの不正使用を抑制することができる。
【００２７】
また、このテレビ１によれば、上記のようなバックアップ処理を、通常のコンピュータを用いて、簡便に行うことができ、ユーザの利便性を高めることができる。また、この種のテレビにおいては、暗号化録画ファイルのうち最大１つのリストアのみを許す仕組みさえ達成できれば、リストア可能な暗号化録画ファイルのコピーが多数存在することは、データ破壊に備える安全性の観点から、むしろ好ましいと言える。従って、このテレビ１によれば、放送コンテンツの不正使用の抑制を十分に図りながら、なおかつ、安全性が高い録画ファイルのパックアップを行うことができる。
【００２８】
本発明は、前述した実施形態に限定されるものではない。例えば、実施形態では、本発明をワンセグテレビ１に適用した例を説明したが、本発明は、ワンセグテレビに限らず、他の受信装置（例えば、通常のテレビ、デジタルラジオ、ＨＤＤレコーダ等）にも適用が可能である。
【図面の簡単な説明】
【００２９】
【図１】本発明に係る受信装置の一実施形態であるテレビの構成を示す機能ブロック図である。
【図２】図１のテレビのハードウエア構成を示すブロック図である。
【図３】図１のテレビで行われる録画処理を示すフローチャートである。
【図４】図１のテレビにおいて、録画ファイルを外部のコンピュータにバックアップする処理を示すフローチャートである。
【図５】図１のテレビにおいて、録画ファイルを外部のコンピュータからリストアする処理を示すフローチャートである。
【符号の説明】
【００３０】
１…テレビ、３…ＲＦチューナ、５…ＨＤＤ（コンテンツ保存部）、７…録画管理情報部（鍵情報保存部）、１７…暗号化部（コンテンツ記録手段）、１９…復号部、３１…インターフェイス部（バックアップ転送手段）、３３…制御部、５１…コンピュータ（外部の機器）。
【図１】
2008301261.tif 000003
【図２】
2008301261.tif 000004
【図３】
2008301261.tif 000005
【図４】
2008301261.tif 000006
【図５】
2008301261.tif 000007